(57)【特許請求の範囲】
【請求項１】
交流入力電源を整流回路で整流し、その整流出力を突入電流抑制回路を介して平滑コンデンサに供給し、該平滑コンデンサの出力電圧を電圧変換回路によって所定の直流電圧に変換して出力する電源装置において、
前記突入電流抑制回路の出力を昇圧して前記平滑コンデンサに供給する昇圧回路と、該昇圧回路の入力端と出力端との間に順方向に並列接続され、前記昇圧回路の出力電圧が確立するまでの間、前記突入電流抑制回路の出力を前記平滑コンデンサに供給するダイオードと、前記交流入力電源の遮断時のみ充電電圧を前記電圧変換回路に供給するコンデンサボックスと、前記昇圧回路の出力端の出力を受け、前記コンデンサボックスを定電流で充電する定電流充電回路とを備えることを特徴とする電源装置。
【発明の詳細な説明】
【０００１】
【発明の属する技術分野】
本発明は、交流入力電源を整流回路で整流し、その整流出力を突入電流抑制回路を介して平滑コンデンサに供給し、該平滑コンデンサの出力電圧を電圧変換回路によって所定の直流電圧に変換して出力する電源装置に関するものである。
【０００２】
【従来の技術】
従来において、交流入力電源を整流回路で整流し、その整流出力を突入電流抑制回路を介して平滑コンデンサに供給し、該平滑コンデンサの出力電圧を電圧変換回路によって所定の直流電圧に変換して出力する電源装置として、図４に示すように構成された電源装置がある。
【０００３】
この電源装置は、交流入力電源ｅｉを整流回路１で整流し、その整流出力を突入電流抑制回路２に入力し、交流入力電源の投入時において平滑コンデンサ３に流れる突入電流を抑制したうえで平滑コンデンサ３を充電し、その充電電圧をＤＣ／ＤＣコンバータ４で所定の直流出力電圧Ｅｏに変換し、外部負荷に供給すると共に、交流入力電源ｅｉの遮断時に直流出力電圧Ｅｏを所定時間の間は持続させるために、突入電流抑制回路２の出力を抵抗充電回路５に入力し、その出力によってコンデンサボックス６を充電し、交流入力電源ｅｉが遮断されて平滑コンデンサ３の出力電圧がコンデンサボックス６の充電電圧以下に降下し始めたならばコンデンサボックス６の充電電圧をダイオード７を介して平滑コンデンサ３およびＤＣ／ＤＣコンバータ４に入力し、ＤＣ／ＤＣコンバータ４の直流出力電圧Ｅｏを所定時間だけ持続させるように構成されている。
ＤＣ／ＤＣコンバータ４の直流出力電圧Ｅｏを所定時間だけ持続させるのは、外部負荷として接続された計測機器等におけるデータを退避させる時間を確保するためである。平滑コンデンサ３の容量をＣ１、コンデンサボックス６の容量をＣ２とすると、Ｃ２＞Ｃ１の関係に設定されている。以下、本願明細書においては、ＤＣ／ＤＣコンバータ４の直流出力電圧Ｅｏを外部負荷が正常動作する電圧に維持させておく時間を出力維持時間という。
【０００４】
しかし、この従来装置にあっては、平滑コンデンサ３およびコンデンサボックス６に流れる充電電流が大きくなる傾向にあることから、突入電流抑制回路２における突入電流抑制用の抵抗値および抵抗充電回路５における充電用の抵抗値を大きくする必要がある。
ところが、突入電流抑制用の抵抗値およびコンデンサボックス６の充電用の抵抗値を大きくした場合、平滑コンデンサ３およびコンデンサボックス６の充電時間が長くなってしまい、直流出力電圧Ｅｏが規定値まで達するまでの立ち上がり時間が長くなるという問題がある。
また、交流入力電源ｅｉの初期投入時においてコンデンサボックス６が所定電圧まで充電されるまでの間に交流入力電源ｅｉの瞬断があった場合、直流出力電圧Ｅｏを所定時間だけ維持するための充電エネルギーが不足し、直流出力電圧Ｅｏを所定時間だけ維持することができなくなるという問題がある。
【０００５】
直流出力電圧Ｅｏを所定時間だけ維持することができなくなるという問題に対しては、平滑コンデンサ３の充電電圧を昇圧コンバータで昇圧してＤＣ／ＤＣコンバータ４に入力するという構成が考えられる（例えば、特許文献１参照。）。
【０００６】
【特許文献１】
特開平２−２２８２５６号公報
【０００７】
この特開平２−２２８２５６号公報に開示された電源装置は、定常時は平滑コンデンサの出力を昇圧コンバータに並列接続したダイオードを介してＤＣ／ＤＣコンバータに入力し、交流入力電源の瞬断時は平滑コンデンサの出力電圧を昇圧コンバータで昇圧したものをＤＣ／ＤＣコンバータに入力するものである。
【発明が解決しようとする課題】
しかし、昇圧コンバータを用いたとしても、１つの平滑コンデンサの充電電圧を昇圧して出力維持時間を確保するものであるため、十分な出力維持時間を確保できない。この場合、十分な出力維持時間を確保するために、平滑コンデンサの容量を大きくすると、交流入力電源投入時の突入電流が増大し、突入電流抑制用の抵抗値を大きくせざるを得なくなる。すると、図４の従来構成と同様に、直流出力電圧Ｅｏの立ち上がり時間が長くなるという問題が生じる。
【０００８】
本発明はこのような問題を解決するためになされたものであり、その目的は、直流出力電圧の立ち上がり時間を短縮でき、かつ交流入力電源の瞬断があっても十分な出力維持時間を確保することができる電源装置を提供することにある。
【０００９】
【課題を解決するための手段】
上記目的を達成するために、本発明は、交流入力電源を整流回路で整流し、その整流出力を突入電流抑制回路を介して平滑コンデンサに供給し、該平滑コンデンサの出力電圧を電圧変換回路によって所定の直流電圧に変換して出力する電源装置において、前記突入電流抑制回路の出力を昇圧して前記平滑コンデンサに供給する昇圧回路と、該昇圧回路の入力端と出力端との間に順方向に並列接続され、前記昇圧回路の出力電圧が確立するまでの間、前記突入電流抑制回路の出力を前記平滑コンデンサに供給するダイオードと、前記交流入力電源の遮断時のみ充電電圧を前記電圧変換回路に供給するコンデンサボックスと、前記昇圧回路の出力端の出力を受け、前記コンデンサボックスを定電流で充電する定電流充電回路とを備えることを特徴とする。
【００１０】
【発明の実施の形態】
以下、本発明を実施する場合の一形態を図面により具体的に説明する。
図１は、本発明による電源装置の実施の形態を示す回路構成図である。
図１において、図４の従来構成と異なる点は、突入電流抑制回路２の出力を昇圧して平滑コンデンサ３に供給する昇圧コンバータ８と、該昇圧コンバータ８に順方向に並列接続されたダイオード９と、昇圧コンバータ８の出力を受け、コンデンサボックス６を定電流で充電する定電流充電回路１０を設けたことである。
なお、図４と同一部分は同一符号で表している。
【００１１】
このような構成においては、平滑コンデンサ３は、交流入力電源ｅｉの投入初期状態では突入電流抑制回路２で抑制された突入電流が抑制された電圧でダイオード９を介して充電され始め、その後は昇圧コンバータ８の出力電圧で充電されるようになる。
一方、コンデンサボックス６は、昇圧コンバータ８の出力を定電流充電回路１０で定電流化した定電流で充電され、交流入力電源ｅｉが遮断された場合には、充電電圧がダイオード７を介してＤＣ／ＤＣコンバータ４に供給される。
図２は、交流入力電源ｅｉを投入してから遮断するまでの通常動作時の各部入出力波形を示す図であり、時刻ｔ１で交流入力電源ｅｉを投入すると（図２（ａ））、突入電流抑制回路２の出力によりダイオード９を介して平滑コンデンサ３の充電が開始され、突入電流抑制回路２の出力電圧は図２（ｂ）に示すように変化し、時刻ｔ２で所定電圧になる。
【００１２】
一方、昇圧コンバータ８は、突入電流抑制回路２の出力電圧が所定電圧になった後、所定時間遅れた時刻ｔ３で突入電流抑制回路２の出力電圧より高い電圧を出力する。
これにより、平滑コンデンサ３は、図２（ｃ）に示すように、時刻ｔ３以降は昇圧コンバータ８の出力電圧で充電されるようになる。
また、コンデンサボックス６は、昇圧コンバータ８の出力電圧を定電流充電回路１０で定電流化した定電流によって充電され、その出力電圧は図２（ｄ）に示すように時刻ｔ４で所定電圧に到達する。
【００１３】
ここで、昇圧コンバータ８が存在しない場合、平滑コンデンサ３の充電電圧は図２（ｃ）の破線Ａで示すように緩やかに立ち上がる。しかし、昇圧コンバータ８の出力によって充電を行うことにより、所定時間に達するまでの立ち上がり時間を短くすることができる。
一方、コンデンサボックス６は定電流で充電されることにより、図２（ｄ）に示すように時刻ｔ４で所定の充電電圧に到達する。
ここで、定電流で充電しない場合、平滑コンデンサ３の充電電圧が小さいうちは小さな電流で充電されることになるため、充電時間が図２（ｄ）の破線Ｂに示すように長くなってしまう。一方、大きな充電電流を流すようにすると、突入電流が規格値より大きくなってしまう。
コンデンサボックス６を定電流充電回路１０の定電流で充電することにより、平滑コンデンサ３とコンデンサボックス６とが電流経路の上で分離した構成になることから、突入電流を増加させることなく、コンデンサボックス６を所定電圧まで充電する時間を短縮することができ、交流入力電源の瞬断があっても十分な出力維持時間を確保することができるようになる。また、コンデンサボックスへの充電時の平滑コンデンサ３の充電電圧の上昇を妨げない。
ＤＣ／ＤＣコンバータ４は、平滑コンデンサ３の充電電圧を受け、図２（ｅ）に示すようなタイミングで所定の直流出力電圧Ｅｏを出力するようになる。
交流入力電源ｅｉが時刻ｔ５で遮断された場合、コンデンサボックス６の充電エネルギーがダイオード７を介してＤＣ／ＤＣコンバータ４に供給される。これにより、ＤＣ／ＤＣコンバータ４の出力電圧Ｅｏは時刻ｔ５より遅れた時刻ｔ６まで規定値を維持する。この規定値を維持している時間が出力維持時間である。
【００１４】
図３は交流入力電源ｅｉに瞬断が発生した場合の各部の波形を示す図であり、時刻ｔ１〜ｔ２でコンデンサボックス６の放電時間より短い瞬断があった場合、ＤＣ／ＤＣコンバータ４の出力電圧Ｅｏは、図３（ｅ）に示すように、コンデンサボックス６の充電電圧によってＥｏの出力状態を維持する。
しかし、時刻ｔ３〜ｔ４でコンデンサボックス６の放電時間より長い瞬断があった場合、ＤＣ／ＤＣコンバータ４の出力電圧Ｅｏは、図３（ｅ）に示すように、図２の電源投入初期状態からの動作と同様にして所定電圧Ｅｏに立ち上がる。
【００１５】
【発明の効果】
以上説明したように本発明によれば、突入電流を抑制しつつ直流出力電圧の立ち上がり時間を短縮でき、かつ交流入力電源の瞬断があっても十分な出力維持時間を確保することができる。
【図面の簡単な説明】
【図１】本発明を適用した電源装置の一実施の形態を示す回路構成図である。
【図２】図１の構成における通常状態の動作を示す各部の波形図である。
【図３】図１の構成において交流入力電源の瞬断が発生した場合の動作を示す各部の波形図である。
【図４】従来の電源装置の回路構成図である。
【符号の説明】
１…整流回路、２…突入電流抑制回路、３…平滑コンデンサ、４…ＤＣ／ＤＣコンバータ、６…コンデンサボックス、７…ダイオード、８…昇圧コンバータ、９…ダイオード、１０…定電流充電回路。
【図１】
0003667729.tif 000002
【図２】
0003667729.tif 000003
【図３】
0003667729.tif 000004
【図４】
0003667729.tif 000005